(57)【要約】【課題】感光体等の制御上初期特性値が必要なユニットを用いる場合に、その交換にかかるコストを低減することのできる印刷システムを提供することを目的としている。【解決手段】制御上の初期特性値が必要な部材の初期特性値を、初期特性値が保存された記録媒体、あるいは、保守サーバ装置ＳＶより取得しているので、感光体に初期特性値を記録する手段を必要とせず、その結果、感光体やプリンタ装置本体のコストを低減することができるという効果を得る。【選択図】　　　　図１
2004139223.tif 000002
【特許請求の範囲】
【請求項１】
初期特性値が必要で、交換可能なユニットを備えたプリンタ装置と、上記プリンタ装置を接続して印刷動作を行わせるデータ処理装置からなる印刷システムにおいて、
上記ユニットを交換した後に、上記データ処理装置から上記プリンタ装置に、交換後の上記ユニットに対応した初期特性値を転送し、
上記プリンタ装置は、上記データ処理装置から受信した上記初期特性値を保存し、その保存した初期特性値を用いて印刷動作を行うことを特徴とする印刷システム。
【請求項２】
初期特性値が必要で、交換可能なユニットを備えたプリンタ装置と、上記プリンタ装置を接続して印刷動作を行わせるデータ処理装置からなる印刷システムにおいて、
上記ユニットを交換した後に、上記データ処理装置により上記ユニットに添付されている記録媒体より上記初期特性値を読み取り、上記プリンタ装置にその読み取って得た初期特性値を転送し、
上記プリンタ装置は、上記データ処理装置から受信した上記初期特性値を保存し、その保存した初期特性値を用いて印刷動作を行うことを特徴とする印刷システム。
【請求項３】
初期特性値が必要で、交換可能なユニットを備えたプリンタ装置と、上記プリンタ装置を接続して印刷動作を行わせるデータ処理装置からなる印刷システムにおいて、
上記ユニットを交換した後に、上記データ処理装置は、ネットワークを介して所定の保守サーバ装置へ接続して、当該ユニットの初期特性値を取得し、上記プリンタ装置にその取得した初期特性値を転送し、
上記プリンタ装置は、上記データ処理装置から受信した上記初期特性値を保存し、その保存した初期特性値を用いて印刷動作を行うことを特徴とする印刷システム。
【請求項４】
初期特性値が必要で、交換可能なユニットを備えたプリンタ装置と、上記プリンタ装置を接続して印刷動作を行わせるデータ処理装置からなる印刷システムにおいて、
上記ユニットを交換した後に、上記データ処理装置により上記ユニットに添付されている記録媒体より上記初期特性値を読み取って保存し、上記プリンタ装置に印刷動作を行わせる際には、記録データの転送に先立って上記保存した初期特性値を転送し、
上記プリンタ装置は、上記データ処理装置から印刷動作の実行が指令されるときに受信した上記初期特性値を保存し、その保存した初期特性値を用いて印刷動作を行うことを特徴とする印刷システム。
【請求項５】
初期特性値が必要で、交換可能なユニットを備えたプリンタ装置と、上記プリンタ装置を接続して印刷動作を行わせるデータ処理装置からなる印刷システムにおいて、
上記ユニットを交換した後に、上記データ処理装置は、ネットワークを介して所定の保守サーバ装置へ接続して、当該ユニットの初期特性値を取得して保存し、上記プリンタ装置に印刷動作を行わせる際には、記録データの転送に先立って上記保存した初期特性値を転送し、
上記プリンタ装置は、上記データ処理装置から印刷動作の実行が指令されるときに受信した上記初期特性値を保存し、その保存した初期特性値を用いて印刷動作を行うことを特徴とする印刷システム。
【発明の詳細な説明】
【０００１】
【発明の属する技術分野】
本発明は、初期特性値が必要で、交換可能なユニットを備えたプリンタ装置と、上記プリンタ装置を接続して印刷動作を行わせるデータ処理装置からなる印刷システムに関する。
【０００２】
【従来の技術】
一般に、モノクロレーザプリンタ装置やカラーレーザプリンタ装置等のレーザプリンタ装置では、消耗品として使用される感光体に初期特性値が設定されており、その初期特性値を用いて、記録動作の制御を行うようにしている。したがって、感光体が交換されるときには、その感光体の初期特性値をレーザプリンタ装置へセットし、適切な記録動作を行えるようにする必要があった。
【０００３】
そこで、感光体等の制御上初期特性値が必要なユニットの交換時に、感光体等の初期特性値を、感光体ユニットに内蔵した不揮発性メモリに登録したものや、添付のバーコード、または、感光体にトナー像として形成し、該データをプリンタ装置自身が読み込むことによって、該初期特性値をプリンタ装置アップデートする手段を備えたプリンタ装置がある（特許文献１参照）。
【０００４】
【特許文献１】特開平９−１７１３３１号公報
【０００５】
【発明が解決しようとする課題】
しかしながら、このような従来装置には、次のような不都合を生じていた。
【０００６】
すなわち、しかしながら、感光体等の制御上初期特性値が必要なユニットの交換時に、そのユニットに内蔵された不揮発性メモリを搭載するのでユニットのコストが高くなる、あるいは、そのユニット用初期特性データをバーコードで読込を行うので、レーザプリンタ装置にバーコード読込機能を必要とし、その結果、レーザプリンタ装置のコストが高くなるという不具合を生じる。
【０００７】
本発明は、かかる実情に鑑みてなされたものであり、感光体等の制御上初期特性値が必要なユニットを用いる場合に、その交換にかかるコストを低減することのできる印刷システムを提供することを目的としている。
【０００８】
【課題を解決するための手段】
本発明は、初期特性値が必要で、交換可能なユニットを備えたプリンタ装置と、上記プリンタ装置を接続して印刷動作を行わせるデータ処理装置からなる印刷システムにおいて、上記ユニットを交換した後に、上記データ処理装置から上記プリンタ装置に、交換後の上記ユニットに対応した初期特性値を転送し、上記プリンタ装置は、上記データ処理装置から受信した上記初期特性値を保存し、その保存した初期特性値を用いて印刷動作を行うようにしたものである。
【０００９】
また、初期特性値が必要で、交換可能なユニットを備えたプリンタ装置と、上記プリンタ装置を接続して印刷動作を行わせるデータ処理装置からなる印刷システムにおいて、上記ユニットを交換した後に、上記データ処理装置により上記ユニットに添付されている記録媒体より上記初期特性値を読み取り、上記プリンタ装置にその読み取って得た初期特性値を転送し、上記プリンタ装置は、上記データ処理装置から受信した上記初期特性値を保存し、その保存した初期特性値を用いて印刷動作を行うようにしたものである。
【００１０】
また、初期特性値が必要で、交換可能なユニットを備えたプリンタ装置と、上記プリンタ装置を接続して印刷動作を行わせるデータ処理装置からなる印刷システムにおいて、上記ユニットを交換した後に、上記データ処理装置は、ネットワークを介して所定の保守サーバ装置へ接続して、当該ユニットの初期特性値を取得し、上記プリンタ装置にその取得した初期特性値を転送し、上記プリンタ装置は、上記データ処理装置から受信した上記初期特性値を保存し、その保存した初期特性値を用いて印刷動作を行うようにしたものである。
【００１１】
また、初期特性値が必要で、交換可能なユニットを備えたプリンタ装置と、上記プリンタ装置を接続して印刷動作を行わせるデータ処理装置からなる印刷システムにおいて、上記ユニットを交換した後に、上記データ処理装置により上記ユニットに添付されている記録媒体より上記初期特性値を読み取って保存し、上記プリンタ装置に印刷動作を行わせる際には、記録データの転送に先立って上記保存した初期特性値を転送し、上記プリンタ装置は、上記データ処理装置から印刷動作の実行が指令されるときに受信した上記初期特性値を保存し、その保存した初期特性値を用いて印刷動作を行うようにしたものである。
【００１２】
また、初期特性値が必要で、交換可能なユニットを備えたプリンタ装置と、上記プリンタ装置を接続して印刷動作を行わせるデータ処理装置からなる印刷システムにおいて、上記ユニットを交換した後に、上記データ処理装置は、ネットワークを介して所定の保守サーバ装置へ接続して、当該ユニットの初期特性値を取得して保存し、上記プリンタ装置に印刷動作を行わせる際には、記録データの転送に先立って上記保存した初期特性値を転送し、上記プリンタ装置は、上記データ処理装置から印刷動作の実行が指令されるときに受信した上記初期特性値を保存し、その保存した初期特性値を用いて印刷動作を行うようにしたものである。
【００１３】
【発明の実施の形態】
以下、添付図面を参照しながら、本発明の実施の形態を詳細に説明する。
【００１４】
図１は、本発明の一実施例にかかる印刷システムの一例を示している。
【００１５】
同図において、レーザプリンタ装置ＰＴは、パーソナルコンピュータ装置ＰＣに接続されており、パーソナルコンピュータ装置ＰＣによりその印刷動作等が制御される。また、パーソナルコンピュータ装置ＰＣは、インターネットＩＮＥＴに接続し、保守サーバ装置ＳＶへ接続して、レーザプリンタ装置ＰＴの動作に必要な初期特性値をダウンロードする機能を備えている。
【００１６】
また、保守サーバ装置ＳＶは、レーザプリンタ装置ＰＴの感光体の初期特性値を、それぞれの感光体について記憶したデータベースを備えるとともに、インターネットＩＮＥＴに接続し、パーソナルコンピュータ装置ＰＣからの問い合わせに対して、感光体の初期特性値をダウンロードする機能を備えている。
【００１７】
図２は、パーソナルコンピュータ装置ＰＣの構成の一例を示している。
【００１８】
同図において、ＣＰＵ（中央処理装置）１は、このパーソナルコンピュータ装置ＰＣの動作制御等の処理を行うものであり、ＲＯＭ（リード・オンリ・メモリ）２は、このパーソナルコンピュータ装置ＰＣの動作制御プログラムの一部（例えば、起動時のプログラムデータや、ブートプログラムデータあるいはモニタプログラムデータ等）等を記憶するものであり、ＲＡＭ（ランダム・アクセス・メモリ）３は、ＣＰＵ１のワークエリア等を構成するものであり、キャラクタジェネレータ４は、表示する図形文字のフォントデータを発生するものであり、時計回路５は、現在時刻情報等を出力するためのものである。
【００１９】
磁気ディスク装置６は、パーソナルコンピュータ装置ＰＣが実行する基本ソフトウェア（いわゆる、ＯＳ）や、種々のアプリケーションプログラム等のプログラムデータや、それぞれのアプリケーションプログラムが作成する種々のデータや、その他のユーザデータ等を記憶するものである。
【００２０】
インターネットインターフェース回路７は、インターネットＩＮＥＴに接続するためのものであり、インターネット伝送制御部８は、インターネットＩＮＥＴを介して、保守サーバ装置ＳＶへ接続し、初期特性値をダウンロードするための通信制御処理を行うためのものである。
【００２１】
可撓性磁気ディスク駆動装置９は、媒体交換型の記録再生可能な記憶装置であり、可撓性磁気ディスク１０をその記録媒体として用いるものである。また、ＣＤ−ＲＯＭ駆動装置１１は、媒体交換型の再生専用の記憶装置であり、ＣＤ−ＲＯＭ１２１０をその記録媒体として用いるものである。
【００２２】
ＣＲＴ画面表示装置１３は、ユーザに対して種々の情報を画面表示するためのものであり、表示制御部１４は、ＣＲＴ画面表示装置１３の表示画面を制御するためのものである。
【００２３】
キーボード装置１５は、種々の文字情報を入力するためのものであり、画面指示装置１６は、ＣＲＴ画面表示装置１３の表示画面について種々の入力操作を行うためのものであり、入力制御部１７は、キーボード装置１５および画面指示装置１６からのデータ入力を制御処理するためのものである。
【００２４】
プリンタインタフェース１８は、レーザプリンタ装置ＰＴと接続し、レーザプリンタ装置ＰＴとの間で種々のデータ（各種制御情報や印刷データ等）をやりとりするためのものである。
【００２５】
これらのＣＰＵ１、ＲＯＭ２、ＲＡＭ３、キャラクタジェネレータ４、時計回路５は、時計回路５、磁気ディスク装置６、インターネット伝送制御部８、可撓性磁気ディスク駆動装置９、ＣＤ−ＲＯＭ駆動装置１１、表示制御部１４、入力制御部１７、および、プリンタインタフェース１８は、システムバス１９に接続されており、これらの各要素間のデータのやりとりは、このシステムバス１９を介して行われる。
【００２６】
図３は、レーザプリンタ装置ＰＴの構成例を示している。
【００２７】
同図において、システム制御部２１は、このレーザプリンタ装置ＰＴの各部の制御処理、および、パーソナルコンピュータ装置ＰＣとの間のデータのやりとりの処理を行うものであり、システムメモリ２２は、システム制御部２１が実行する制御処理プログラム、および、処理プログラムを実行するときに必要な各種データなどを記憶するとともに、システム制御部２１のワークエリアを構成するものであり、パラメータメモリ２３は、このレーザプリンタ装置ＰＴに固有な各種の情報を記憶するためのものであり、キャラクタジェネレータ２４は、印刷文字のパターンデータ等を発生するものであり、時計回路２５は、現在時刻情報を出力するためのものである。
【００２８】
操作表示部２６は、このグループ３ファクシミリ装置を操作するためのものであり、各種の操作キー、および、各種の表示器からなる。
【００２９】
レーザプリンタエンジンユニット２７は、レーザプリンタ装置ＰＴにおける印刷各工程の動作を行って、記録用紙に印刷画像を定着し、記録出力するためのものであり、プリンタエンジン制御部２８は、レーザプリンタエンジンユニット２７の動作を制御するものであり、書き込み制御部２９は、レーザプリンタエンジンユニット２７に印刷データを転送制御するためのものである。
【００３０】
また、パーソナルコンピュータインターフェース回路３０は、パーソナルコンピュータ装置ＰＣと接続し、パーソナルコンピュータ装置ＰＣとの間で種々のデータをやりとりするためのものである。
【００３１】
以上の構成で、パーソナルコンピュータ装置ＰＣのユーザがレーザプリンタ装置ＰＴの感光体を交換するとき、交換後の感光体に、初期特性値が保存された可撓性磁気ディスク１０またはＣＤ−ＲＯＭ１２が添付されている場合は、それを使用して初期特性値を読み込む。
【００３２】
また、感光体に初期特性値が保存された可撓性磁気ディスク１０またはＣＤ−ＲＯＭ１２が添付されていない場合には、保守サーバ装置ＳＶへ接続して、保守サーバ装置ＳＶより感光体の初期特性値を取得する。また、保守サーバ装置ＳＶより初期特性値を取得するときには、感光体の梱包部材等に付設される部品型番号およびシリアル番号の印刷物を参照して、その部品型番号およびシリアル番号を保守サーバ装置ＳＶへ通知し、交換後の感光体に対応した初期特性値を取得できるようにする。
【００３３】
そして、パーソナルコンピュータ装置ＰＣは、その取得した初期特性値をレーザプリンタ装置ＰＴへ転送し、それにより、レーザプリンタ装置ＰＴは、パーソナルコンピュータ装置ＰＣより受信した初期特性値を保存する。
【００３４】
それ以降、レーザプリンタ装置ＰＴは、その保存した初期特性値を用いて、プリンタエンジン制御部２８の制御動作を行い、レーザプリンタエンジンユニット２７にセットされる感光体（図示略）を用いて、適切に印刷動作を制御し、印刷物を記録出力する。
【００３５】
このようにして、本実施例では、感光体の初期特性を、初期特性値が保存された可撓性磁気ディスク１０またはＣＤ−ＲＯＭ１２、あるいは、保守サーバ装置ＳＶより取得しているので、感光体に初期特性値を記録する手段を必要とせず、その結果、感光体のコストを低減することができる。
【００３６】
また、パーソナルコンピュータ装置ＰＣにおいては、可撓性磁気ディスク駆動装置９またはＣＤ−ＲＯＭ駆動装置１１は、プログラムの配布やユーザデータの保存等に用いられる標準装備される装置要素であるので、パーソナルコンピュータ装置ＰＣには、特別な装置を追加する必要もない。
【００３７】
また、近年、インターネットＩＮＥＴの利用の普及により、パーソナルコンピュータ装置ＰＣにはインターネットＩＮＥＴへ接続する装置要素が標準的に装備されることとなってきたため、インターネットＩＮＥＴを介して保守サーバ装置ＳＶへ接続する装置要素についても、特別な装置要素の追加を必要としない。
【００３８】
図４は、この場合に、パーソナルコンピュータ装置ＰＣがレーザプリンタ装置ＰＴに初期特性値を転送する際の処理の一例を示している。
【００３９】
ユーザは、レーザプリンタ装置ＰＴの感光体を交換を終了すると、レーザプリンタ装置ＰＴを使用するためのユーティリティソフト（例えば、ドライバソフトに付属する操作パネル等）を実行して、そのユーティリティソフトにレーザプリンタ装置ＰＴの感光体を交換した旨を入力する。
【００４０】
それにより、ユーティリティソフトは、記録媒体あるいは保守サーバ装置ＳＶのいずれかを用いて、初期特性値を入力するように促す初期特性値入力ガイダンスメッセージを表示する（処理１０１）。
【００４１】
この初期特性値入力ガイダンスメッセージに対して、ユーザが記録媒体を用いて入力する旨を選択した場合で、判断１０２の結果がＹＥＳになるときには、初期特性値が保存された記録媒体を、対応する駆動装置へセットするように促すガイダンスメッセージを表示し（処理１０３）、記録媒体がセットされるまで待つ（判断１０４のＮＯループ）。
【００４２】
記録媒体が駆動装置へセットされて、判断１０４の結果がＹＥＳになると、セットされた記録媒体より初期特性値を読み出し（処理１０５）、レーザプリンタ装置ＰＴへ接続し（処理１０６）、初期特性値を転送するコマンドを出力して、処理１０５で読み出した初期特性値をレーザプリンタ装置ＰＴへ転送する（処理１０７）。
【００４３】
また、ユーザが保守サーバ装置ＳＶより初期特性値を取得する旨を選択した場合で、判断１０２の結果がＮＯになるときには、感光体の部品型番号およびシリアル番号を入力させ、保守サーバ装置ＳＶへ接続して（処理１０８）、感光体の部品番号およびシリアル番号を指定した状態で、初期特性値を取得要求し、保守サーバ装置ＳＶより初期特性値を取得する（処理１０９）。
【００４４】
そして、処理１０６へ移行し、保守サーバ装置ＳＶより取得した初期特性値をレーザプリンタ装置ＰＴへ転送する。
【００４５】
図５は、パーソナルコンピュータ装置ＰＣよりコマンドを入力したときのレーザプリンタ装置ＰＴの処理の一例を示している。
【００４６】
パーソナルコンピュータ装置ＰＣよりコマンドを入力すると（処理２０１）、その入力したコマンドが印刷命令であるかどうかを調べる（判断２０２）。
【００４７】
判断２０２の結果がＹＥＳになるときには、パラメータメモリ２３に記憶されている感光体の初期特性値を取得してプリンタエンジン制御部２８へセットし（処理２０３）、印刷命令に対応した印刷動作を行う（処理２０４）。
【００４８】
また、入力したコマンドが印刷命令ではなく、判断２０２の結果がＮＯになるときには、入力したコマンドが初期特性値転送命令であるかどうかを調べる（判断２０５）。
【００４９】
判断２０５の結果がＹＥＳになるときには、初期特性値を受信して、パラメータメモリ２３へ保存する（処理２０６）。
【００５０】
また、判断２０５の結果がＮＯになるときには、そのときに受信したコマンドに対応した処理を行う（処理２０７）。
【００５１】
ところで、上述した実施例では、感光体の交換が終了した後に、パーソナルコンピュータ装置ＰＣよりレーザプリンタ装置ＰＴに、初期特性値を１回だけ転送するようにしているが、パーソナルコンピュータ装置ＰＣよりレーザプリンタ装置ＰＴに印刷命令を出力するたびに初期特性値を転送するようにすることもできる。そのようにすることで、レーザプリンタ装置ＰＴは、初期特性値をパラメータメモリ２３に保存する必要がなくなり、パラメータメモリ２３に必要なデータ容量を削減することができる。
【００５２】
図６は、この場合に、パーソナルコンピュータ装置ＰＣがレーザプリンタ装置ＰＴにコマンドを出力する際の処理の一例を示している。
【００５３】
ユーザは、レーザプリンタ装置ＰＴの感光体を交換を終了すると、レーザプリンタ装置ＰＴを使用するためのユーティリティソフト（例えば、ドライバソフトに付属する操作パネル等）を実行して、そのユーティリティソフトにレーザプリンタ装置ＰＴの感光体を交換した旨を入力する。
【００５４】
それにより、ユーティリティソフトは、記録媒体あるいは保守サーバ装置ＳＶのいずれかを用いて、初期特性値を入力するように促す初期特性値入力ガイダンスメッセージを表示する（処理３０１）。
【００５５】
この初期特性値入力ガイダンスメッセージに対して、ユーザが記録媒体を用いて入力する旨を選択した場合で、判断３０２の結果がＹＥＳになるときには、初期特性値が保存された記録媒体を、対応する駆動装置へセットするように促すガイダンスメッセージを表示し（処理３０３）、記録媒体がセットされるまで待つ（判断３０４のＮＯループ）。
【００５６】
記録媒体が駆動装置へセットされて、判断４０４の結果がＹＥＳになると、セットされた記録媒体より初期特性値を読み出し（処理３０５）、その読み出した初期特性値を保存する（処理３０６）。
【００５７】
また、ユーザが保守サーバ装置ＳＶより初期特性値を取得する旨を選択した場合で、判断３０２の結果がＮＯになるときには、感光体の部品型番号およびシリアル番号を入力させ、保守サーバ装置ＳＶへ接続して（処理３０７）、感光体の部品番号およびシリアル番号を指定した状態で、初期特性値を取得要求し、保守サーバ装置ＳＶより初期特性値を取得し（処理３０８）、その取得した初期特性値を保存する（処理３０９）。
【００５８】
そして、いずれかのアプリケーションプログラムより印刷要求があるまで待つ（判断３１０のＮＯループ）。いずれかのアプリケーションプログラムより印刷要求がされた場合で、判断３１０の結果がＹＥＳになると、レーザプリンタ装置ＰＴへ接続して印刷命令を指令するとともに（処理３１１）、保存していた初期特性値を読み出して、レーザプリンタ装置ＰＴへ転送する（処理３１２）。
【００５９】
次いで、所定の印刷動作を行う（処理３１３）。
【００６０】
図７は、パーソナルコンピュータ装置ＰＣよりコマンドを入力したときのレーザプリンタ装置ＰＴの処理の一例を示している。
【００６１】
パーソナルコンピュータ装置ＰＣよりコマンドを入力すると（処理４０１）、その入力したコマンドが印刷命令であるかどうかを調べる（判断４０２）。
【００６２】
判断４０２の結果がＹＥＳになるときには、パーソナルコンピュータ装置ＰＣより初期特性値を受信してプリンタエンジン制御部２８へセットし（処理４０３）、印刷命令に対応した印刷動作を行う（処理４０４）。
【００６３】
また、入力したコマンドが印刷命令ではなく、判断４０２の結果がＮＯになるときには、そのときに受信したコマンドに対応した処理を行う（処理２０７）。
【００６４】
ところで、上述した実施例では、制御上の初期特性値が必要な部材として、感光体を例示したが、それ以外の制御上の初期特性値が必要な部材の交換時についても、本発明を同様にして適用することができる。
【００６５】
また、本発明は、モノクロレーザープリンタ装置、および、カラーレーザープリンタ装置のいずれについても適用することができる。また、カラーレーザープリンタ装置に適用する場合には、色ズレ防止に使用する初期特性値にも本発明を適用できる。
【００６６】
【発明の効果】
以上説明したように、本発明によれば、制御上の初期特性値が必要な部材の初期特性値を、初期特性値が保存された記録媒体、あるいは、保守サーバ装置ＳＶより取得しているので、感光体に初期特性値を記録する手段を必要とせず、その結果、感光体やプリンタ装置本体のコストを低減することができるという効果を得る。
【図面の簡単な説明】
【図１】本発明の一実施例にかかる印刷システムの一例を示したブロック図。
【図２】パーソナルコンピュータ装置ＰＣの構成の一例を示したブロック図。
【図３】レーザプリンタ装置ＰＴの構成例を示したブロック図。
【図４】パーソナルコンピュータ装置ＰＣがレーザプリンタ装置ＰＴに初期特性値を転送する際の処理の一例を示したフローチャート。
【図５】パーソナルコンピュータ装置ＰＣよりコマンドを入力したときのレーザプリンタ装置ＰＴの処理の一例を示したフローチャート。
【図６】パーソナルコンピュータ装置ＰＣがレーザプリンタ装置ＰＴにコマンドを出力する際の処理の一例を示したフローチャート。
【図７】パーソナルコンピュータ装置ＰＣよりコマンドを入力したときのレーザプリンタ装置ＰＴの処理の他の例を示したフローチャート。
【符号の説明】
ＰＴ　レーザプリンタ装置
ＰＣ　パーソナルコンピュータ装置
ＳＶ　保守サーバ装置
【図１】
2004139223.tif 000003
【図２】
2004139223.tif 000004
【図３】
2004139223.tif 000005
【図４】
2004139223.tif 000006
【図５】
2004139223.tif 000007
【図６】
2004139223.tif 000008
【図７】
2004139223.tif 000009